(57)【要約】【課題】  逐一切断しなくても、損傷部位の大きさや形状に合わせた大きさにして貼着できるようにし汎用性の向上を図る。【解決手段】  連設可能なパッチ単体Ｐｔを複数備え、各パッチ単体Ｐｔをジグソーパズルを構成する形状に形成し、隣接するパッチ単体Ｐｔ同士の外側縁１を該外側縁１の輪郭同士が接合可能になるように形成した。衣類の布地Ｓが部分的に裂けたり穴が開いて損傷した際にこの損傷部位Ｋの大きさや形状に合わせて、あるいは、装飾のために使用者の望む大きさや形状に合わせて、複数のパッチ単体Ｐｔを必要枚数用い連設させて貼着することができ、逐一切断をしなくても良く、作業効率を大幅に向上させることができるとともに、デザイン的に極めて面白いものにすることができる。【選択図】  図３
2005298982.tif 000002
【特許請求の範囲】
【請求項１】
布地に貼着されるシート状の布地用パッチにおいて、
連設可能なパッチ単体を複数備え、隣接するパッチ単体同士の外側縁を該外側縁の輪郭同士が接合可能になるように形成したことを特徴とする布地用パッチ。
【請求項２】
上記隣接するパッチ単体同士において、一方のパッチ単体の外側縁に凸部を設け、他方のパッチ単体の外側縁に上記凸部が係合する凹部を形成したことを特徴とする請求項１記載の布地用パッチ。
【請求項３】
上記隣接するパッチ単体同士において、一方のパッチ単体の外側縁を凸曲状に形成し、他方のパッチ単体の外側縁を上記凸曲状に形成された外側縁が接合するように凹曲状に形成したことを特徴とする請求項１または２記載の布地用パッチ。
【請求項４】
上記各パッチ単体を、一方向及び該一方向に直交する方向の少なくとも２方向に連設可能に形成したことを特徴とする請求項１，２または３記載の布地用パッチ。
【請求項５】
上記各パッチ単体を、ジグソーパズルを構成する形状に形成したことを特徴とする請求項１，２，３または４記載の布地用パッチ。
【請求項６】
上記パッチ単体の複数の特定の組を、ある立体物の斜視図を構成する形状に形成するとともに、該パッチ単体の複数の特定の組の表面に該立体物の斜視図を表出したことを特徴とする請求項１，２，３，４または５記載の布地用パッチ。
【請求項７】
上記パッチ単体の複数の特定の組を、ある立体物の斜視図を構成する形状に形成するとともに、該パッチ単体の複数の特定の組の表面に該立体物の斜視図を表出し、
上記立体物が、直方体状に形成され上面に複数の円柱状突起が行列状に突設され、下面に該円柱状突起が嵌合する凹部が形成された立体組み立てパズルのブロックであり、上記パッチ単体の複数の特定の組の表面に当該ブロックの斜視図を表出することを特徴とする請求項１記載の布地用パッチ。
【請求項８】
上記複数のパッチ単体は、その表面に互いに種類の異なる色を付したものを含む構成としたことを特徴とする請求項１，２，３，４，５，６または７記載の布地用パッチ。
【請求項９】
上記各パッチ単体の裏面に、布地に加熱融着可能な熱可塑性合成樹脂からなる接着層を形成したことを特徴とする請求項１，２，３，４，５，６，７または８記載の布地用パッチ。
【発明の詳細な説明】
【技術分野】
【０００１】
本発明は、衣類，シーツ類，蒲団等のカバー類などの布の補修あるいは装飾のための布地用パッチに係り、特に、接着剤や縫合により布に貼着される布地用パッチに関する。
【背景技術】
【０００２】
従来、この種の布地用パッチとしては、例えば、特許文献１（実開平３−９２７２５号公報）に掲載のものが知られている。
この布地用パッチは、テープ状に形成され裏面に接着剤が塗布されているとともに接着剤の上に剥離紙が貼付され、巻回されている。
そして、例えば、衣類の布が部分的に裂けたり穴が開いて損傷した際に、この損傷部位の大きさに合わせてテープ状のパッチを引き出して切断し、剥離紙を剥がしてこのパッチを損傷部位に貼る。場合によっては、その後、パッチの周囲を縫合するようにする。
【０００３】
【特許文献１】実開平３−９２７２５号公報
【発明の開示】
【発明が解決しようとする課題】
【０００４】
ところで、上記従来の布地用パッチにあっては、損傷部位の大きさに合わせてテープ状のパッチを引き出して逐一切断しなければならないので、切断作業を行なう分作業が煩雑になっており、作業効率が悪いという問題があった。また、テープ状なので、所謂鍵裂きといわれるＬ字状に裂けた場合への対応ができにくいという問題もある。
また、従来においては、予め大きさの決まった装飾用の所謂アップリケといわれるものもあるが、これを、布の補修用に使用する場合には、損傷部位の大きさに合わせて切断できないことから、見合った大きさのものを用意しなければならないという問題がある。
【０００５】
本発明は上記の問題点に鑑みて為されたもので、逐一切断しなくても、損傷部位の大きさや形状に合わせた大きさにして貼着できるようにし汎用性の向上を図った布地用パッチを提供することを目的とする。
【課題を解決するための手段】
【０００６】
上記課題を解決するため、本発明の布地用パッチは、布地に貼着されるシート状の布地用パッチにおいて、連設可能なパッチ単体を複数備え、隣接するパッチ単体同士の外側縁を該外側縁の輪郭同士が接合可能になるように形成した構成としている。
これにより、例えば、衣類の布が部分的に裂けたり穴が開いて損傷した際に、この損傷部位の大きさや形状に合わせて、連設可能な複数のパッチ単体を用い、連設した状態であるいは１つずつ順番にこのパッチ単体を損傷部位に貼っていく。あるいは、布地に装飾を施す際には、使用者の望む大きさや形状に合わせて連設可能な複数のパッチ単体を用い、連設した状態であるいは１つずつ順番にこのパッチ単体を貼っていく。
この場合、パッチ単体を連設するだけで、損傷部位の大きさや形状あるいは希望の大きさや形状に合わせて、パッチ全体の大きさを定めることができるので、従来のように逐一切断をしなくてもよく、そのため、作業効率が大幅に向上させられる。
また、貼着された状態では、パッチ単体同士は外側縁の輪郭同士が接合しているので、パッチ単体間に隙間が生じることがなく、確実に損傷部位を覆うことができる。
【０００７】
そして、必要に応じ、上記隣接するパッチ単体同士において、一方のパッチ単体の外側縁に凸部を設け、他方のパッチ単体の外側縁に上記凸部が係合する凹部を形成した構成としている。隣接するパッチ単体同士が凸部及び凹部で係合するので、連設強度が高くなり、貼着時や貼着後に容易に離間する事態が防止される。また、デザイン的にも面白いものになる。
【０００８】
また、必要に応じ、上記隣接するパッチ単体同士において、一方のパッチ単体の外側縁を凸曲状に形成し、他方のパッチ単体の外側縁を上記凸曲状に形成された外側縁が接合するように凹曲状に形成した構成としている。隣接するパッチ単体同士が凸曲状の外側縁と凹曲状の外側縁とを接合させるので、左右にずれにくくなり、そのため、連設強度が高くなり、貼着時や貼着後に容易に離間する事態が防止される。また、デザイン的にも面白いものになる。
【０００９】
更に、必要に応じ、上記各パッチ単体を、一方向及び該一方向に直交する方向の少なくとも２方向に連設可能に形成している。パッチ単体を、上下左右自在に連設することができ、そのため、損傷部位の大きさや形状、あるいは、使用者の望む大きさや形状に自在に対応することができる。例えば、所謂鍵裂きといわれるＬ字状に裂けた場合に、対応が極めて容易になる。
【００１０】
更にまた、必要に応じ、上記各パッチ単体を、ジグソーパズルを構成する形状に形成している。パッチ単体を、上下左右自在に連設することでき、そのため、損傷部位の大きさや形状、あるいは、使用者の望む大きさや形状に種々に組み合わせて配列し使用することができ、自在に対応することができる。また、デザイン的にも極めて面白いものになり、汎用性が向上させられる。
【００１１】
上記パッチ単体の複数の特定の組を、ある立体物の斜視図を構成する形状に形成するとともに、該パッチ単体の複数の特定の組の表面に該立体物の斜視図を表出した構成としている。
これによれば、パッチ単体を、貼着した状態では、ある立体物の斜視図が表出されるので、あたかもその立体物が貼着されたように視認でき、そのため、より一層、デザイン的に面白いものにすることができる。
【００１２】
この場合、上記立体物が、直方体状に形成され上面に複数の円柱状突起が行列状に突設され、下面に該円柱状突起が嵌合する凹部が形成された立体組み立てパズルのブロックであり、上記パッチ単体の複数の特定の組の表面に当該ブロックの斜視図を表出する構成としたことが有効である。パッチの貼着後に、立体組み立てパズルのブロック柄が視認され、極めて斬新で面白いデザインにすることができる。
【００１３】
また、必要に応じ、上記複数のパッチ単体は、その表面に互いに種類の異なる色を付したものを含む構成としている。連設可能な複数のパッチ単体を用いる際、色違いのものを選択すれば、連設した状態では、カラフルになり、そのため、より一層、デザイン的に面白いものにすることができる。
【００１４】
そしてまた、必要に応じ、上記各パッチ単体の裏面に、布地に加熱融着可能な熱可塑性合成樹脂からなる接着層を形成している。パッチ単体を貼着する際、パッチ単体を布地に付帯させ、その上からアイロンで熱を加えながら押圧する。これにより、熱可塑性合成樹脂が溶融し、布地にパッチ単体が融着されていく。そのため、貼着が極めて容易に行なわれる。
【発明の効果】
【００１５】
本発明の布地用パッチによれば、例えば、衣類の布が部分的に裂けたり穴が開いて損傷した際にこの損傷部位の大きさや形状に合わせて、あるいは、装飾のために使用者の望む大きさや形状に合わせて、複数のパッチ単体を必要枚数用い連設させて貼着することができる。そのため、パッチ単体を連設するだけで、損傷部位の大きさや形状あるいは希望の大きさや形状に合わせて、パッチ全体の大きさを定めることができるので、従来のように逐一切断をしなくてもよく、そのため、作業効率を大幅に向上させることができる。また、貼着された状態では、パッチ単体同士は外側縁の輪郭同士が接合しているので、パッチ単体間に隙間が生じることがなく、確実に損傷部位を覆うことができる。即ち、補修箇所及び装飾箇所の大きさや形状に対し自在に対応することができ、極めて有用になる。
【発明を実施するための最良の形態】
【００１６】
以下、添付図面に基づいて、本発明の実施の形態に係る布地用パッチについて詳細に説明する。
図１乃至図４には、本発明の第一の実施の形態に係る布地用パッチＰを示している。この布地用パッチＰは、衣類などの布地に貼着されるもので、シート状に形成され連設可能なパッチ単体Ｐｔを複数備えて構成されている。図２に示すように、パッチ単体Ｐｔは、例えば、布で形成され、その裏面には、布地Ｓに加熱融着可能な熱可塑性合成樹脂からなる接着層Ｂが形成されている。
【００１７】
各パッチ単体Ｐｔは、ジグソーパズルを構成する同一形状に形成されており、一方向Ｘ及び一方向Ｘに直交する方向Ｙの２方向に連設可能に形成されている。そして、隣接するパッチ単体Ｐｔ同士の外側縁１は、外側縁１の輪郭同士が接合可能になるように形成されている。この隣接するパッチ単体Ｐｔ同士において、一方のパッチ単体Ｐｔの外側縁１に凸部２が設けられ、他方のパッチ単体Ｐｔの外側縁１に凸部２が係合する凹部３が形成されている。
【００１８】
詳しくは、パッチ単体Ｐｔは、略正方形状に形成され、互いに対向する１つの組の外側縁１（ａ）の中央に夫々同形状の略円形の凸部２が設けられている一方、互いに対向する他の組の外側縁１（ｂ）の中央に凸部２が係合する形状の凹部３が形成されている。パッチ単体Ｐｔの最大幅は、特に限定されないが、１００ｍｍ以下、望ましくは、８０ｍｍ〜６０ｍｍ以下程度が良い。実施の形態では、例えば、正方形の一辺は４０ｍｍに設定され、凸部２の径は１０ｍｍに設定され、最大の幅が６０ｍｍになっている。
【００１９】
また、複数のパッチ単体Ｐｔは、その表面に互いに種類の異なる色を付したものを含む構成としてある。実施の形態では、複数のパッチ単体Ｐｔは、例えば、９枚の組からなり、各々、赤，橙，黄，緑，青，藍，紫，黒，白の異なる色が付されている。また、例えば、赤，緑，黄の色のものが３枚ずつあってもよい。色の組み合わせは適宜に定められる。
【００２０】
従って、この実施の形態に係る布地用パッチＰを使用するときは、例えば、図２及び図３に示すように、衣類などの布地Ｓが、所謂鍵裂きといわれるＬ字状に裂けた場合について説明すると以下のようになる。
先ず、この裂けたＬ字状の損傷部位Ｋの大きさや形状に合わせて、連設可能な例えば３つのパッチ単体Ｐｔを用いる。そして、これらのパッチ単体Ｐｔを連設しながら、損傷部位Ｋに付帯させ、そして、その上からアイロンで熱を加えながら押圧する。これにより、接着層Ｂの熱可塑性合成樹脂が溶融し、布地Ｓにパッチ単体Ｐｔが融着されていく。そのため、貼着が極めて容易に行なわれる。
【００２１】
この場合、パッチ単体Ｐｔを連設するだけで、損傷部位Ｋの大きさや形状に合わせて、パッチＰ全体の大きさを定めることができるので、従来のように逐一切断をしなくてもよく、そのため、作業効率が大幅に向上させられる。即ち、各パッチ単体Ｐｔは、ジグソーパズルを構成する形状に形成され、一方向Ｘ及び一方向Ｘに直交する方向Ｙの２方向に連設可能に形成されているので、パッチ単体Ｐｔを、上下左右自在に連設することでき、そのため、損傷部位Ｋの大きさや形状に自在に対応することができるのである。また、隣接するパッチ単体Ｐｔ同士は、凸部２及び凹部３で係合するので、連設強度が高くなり、アイロンをかけている貼着時に、容易に離間する事態が防止される。
【００２２】
また、貼着された状態では、パッチ単体Ｐｔ同士は外側縁１の輪郭同士が接合しているので、パッチ単体Ｐｔ間に隙間が生じることがなく、確実に損傷部位Ｋを覆うことができる。また、隣接するパッチ単体Ｐｔ同士は、凸部２及び凹部３で係合するので、連設強度が高くなり、容易に離間する事態が防止される。更に、各パッチ単体Ｐｔは、ジグソーパズルを構成する形状に形成されているので、デザイン的にも極めて面白いものになる。特に、各パッチ単体Ｐｔは、表面に互いに種類の異なる色が付されているので、カラフルになり、そのため、より一層、デザイン的に極めて面白いものにすることができる。
【００２３】
図５には、本発明の第二の実施の形態に係る布地用パッチＰを示している。この布地用パッチＰは、上記第一の実施の形態に係る布地用パッチＰと略同様に形成されるが、第一の実施の形態に係る布地用パッチＰと異なって、隣接するパッチ単体Ｐｔ同士において、一方のパッチ単体Ｐｔの外側縁１が凸曲状に形成され、他方のパッチ単体Ｐｔの外側縁１が凸曲状に形成された外側縁１が接合するように凹曲状に形成されている。詳しくは、パッチ単体Ｐｔは、正方形１０の互いに対向する１つの組の辺１０ａ側の外側縁１（ａ）が互いに対称の凸曲状に形成されている一方、正方形１０の互いに対向する他の組の辺１０ｂ側の外側縁１（ｂ）が上記の凸曲状の外側縁１（ａ）が接合する形状の互いに対称の凹曲状に形成されている。
【００２４】
従って、この本発明の第二の実施の形態に係る布地用パッチＰによれば、隣接するパッチ単体Ｐｔ同士が凸曲状の外側縁１（ａ）と凹曲状の外側縁１（ｂ）とを接合させるので、左右にずれにくくなり、そのため、連設強度が高くなり、貼着時や貼着後に容易に離間する事態が防止される。他の作用，効果は、上記と同様である。
【００２５】
図６及び図７には、本発明の第三の実施の形態に係る布地用パッチＰを示している。この布地用パッチＰは、衣類などの布地Ｓに貼着されるシート状のものであり、連設可能なパッチ単体Ｐｔを複数備えて構成されている。パッチ単体Ｐｔの裏面には、図２に示すと同様に、布地Ｓに加熱融着可能な熱可塑性合成樹脂からなる接着層Ｂが形成されている。
【００２６】
パッチ単体Ｐｔの複数（実施の形態では３つ）の特定の組Ｇは、ある立体物の斜視図を構成する形状に形成されているとともに、このパッチ単体Ｐｔの複数の特定の組Ｇの表面にこの立体物の斜視図が表出されている。この立体物は、直方体状に形成され上面に複数の円柱状突起２１が行列状に突設され、下面にこの円柱状突起２１が嵌合する凹部（図示せず）が形成された立体組み立てパズルのブロック２０であり、パッチ単体Ｐｔの複数の特定の組Ｇの表面には、このブロック２０の上面側から見た斜視図が表出されている。具体的には、１つのパッチ単体Ｐｔ（ａ）を、平行四辺形状に形成し、これに複数の円柱状突起２１が行列状に突設された上面を表出して上面壁を構成するものとし、他の２つのパッチ単体Ｐｔ（ｂ），Ｐｔ（ｃ）を、平行四辺形状に形成し、２つの側壁面を構成するものとしている。これらの、組Ｇが例えば３組用意される。
【００２７】
従って、この第三の実施の形態に係る布地用パッチＰを使用するときは、例えば、図７に示すように、衣類などの布地Ｓに穴が開いた場合について説明すると以下のようになる。
先ず、布地Ｓに開けられた穴である損傷部位Ｋの大きさや形状に合わせて、連設可能な例えば上記特定の組Ｇの３つのパッチ単体Ｐｔ（ａ），Ｐｔ（ｂ），Ｐｔ（ｃ）と、特定の組Ｇの側壁を構成する２つのパッチ単体Ｐｔ（ｂ），Ｐｔ（ｃ）とを用いる。そして、これらのパッチ単体Ｐｔを、あたかも、ブロック２０が２つ上下に連結したように連設しながら、損傷部位Ｋに付帯させ、そして、その上からアイロンで熱を加えながら押圧する。これにより、接着層Ｂの熱可塑性合成樹脂が溶融し、布地Ｓにパッチ単体Ｐｔが融着されていく。そのため、貼着が極めて容易に行なわれる。尚、穴の開いた部分には、別の生地をあて、この上にパッチ単体Ｐｔを付帯させるようにすることが望ましい。
【００２８】
この場合、パッチ単体Ｐｔを連設するだけで、損傷部位Ｋの大きさや形状に合わせて、パッチ全体の大きさを定めることができるので、従来のように逐一切断をしなくてもよく、そのため、作業効率が大幅に向上させられる。
そして、貼着された状態では、立体組み立てパズルのブロック２０の柄が視認され、極めて斬新で面白いデザインにすることができる。
【００２９】
尚、上記各実施の形態において、パッチ単体Ｐｔの数や組み合わせはどのように定めても良いし、使用する際の数や組み合わせについても適宜に選択して良い。
また、上記実施の形態において、パッチ単体Ｐｔの形状は上述したものに限定されるものではなく、ジグソーパズルのものでは、例えば、図８に示すように、３つの凸部２及び１つの凹部３を備えたパッチ単体Ｐｔ（Ａ）と、これに係合し合う関係の１つの凸部２及び３つの凹部３を備えたパッチ単体Ｐｔ（Ｂ）との２種類のパッチ単体Ｐｔを備えたもの、あるいは、図９に示すように、凸部２及び凹部３の数の違うパッチ単体Ｐｔを数種用いた異型の組み合わせのものでも良く、どのような形状に形成しても良い。
また、図１０に示すように、外側縁を凸曲状及び凹曲状に形成するタイプのジグソーパズルのパッチＰでは、不規則な形状のパッチ単体Ｐｔを用いても良い。
更に、上記立体物を表出するパッチＰにおいて、立体物は、立体組み立てパズルのブロック２０に限定されるものではなく、どのようなものでも良いことは勿論である。
また、パッチ単体Ｐｔの材質も布に限定されず、樹脂製などどのようなものでも良い。
更に、上記実施例では、パッチ単体Ｐｔに接着層Ｂを形成したが、必ずしもこれに限定されるものではなく、これを設けないで、別の接着剤を用いて貼着するようにし、あるいは、縫合により貼着するようにしても良く、適宜変更して良い。
【産業上の利用可能性】
【００３０】
このような構成の布地用パッチＰにおいては、パッチ単体Ｐｔの複数枚を、例えば包装袋などに入れて、この包装袋に入れたものを製品として市販することができる。そして、用途としては、補修用としてのみならず、ひじ当て，ひざ当て，装飾用アップリケとしても用いることができる。即ち、補修箇所や装飾箇所に、上下左右加減し自在に対応させることのできる有用な製品とすることができる。
【図面の簡単な説明】
【００３１】
【図１】本発明の第一の実施の形態に係る布地用パッチを示す平面図である。
【図２】本発明の第一の実施の形態に係る布地用パッチにおけるパッチ単体を示す断面図である。
【図３】本発明の第一の実施の形態に係る布地用パッチを貼着するときの状態の一例を示す斜視図である。
【図４】本発明の第一の実施の形態に係る布地用パッチを貼着した後の状態を示す斜視図である。
【図５】本発明の第二の実施の形態に係る布地用パッチを示す平面図である。
【図６】本発明の第三の実施の形態に係る布地用パッチを示す平面図である。
【図７】本発明の第三の実施の形態に係る布地用パッチを貼着したときの状態の一例を示す平面図である。
【図８】本発明の別の実施の形態に係る布地用パッチを示す平面図である。
【図９】本発明のまた別の実施の形態に係る布地用パッチを示す平面図である。
【図１０】本発明の他の実施の形態に係る布地用パッチを示す平面図である。
【符号の説明】
【００３２】
Ｐ  布地用パッチ
Ｓ  布地
Ｐｔ  パッチ単体
Ｂ  接着層
１  外側縁
２  凸部
３  凹部
Ｋ  損傷部位
１０  正方形
Ｇ  パッチ単体の複数の特定の組
２０  ブロック
２１  突起
【図１】
2005298982.tif 000003
【図２】
2005298982.tif 000004
【図３】
2005298982.tif 000005
【図４】
2005298982.tif 000006
【図５】
2005298982.tif 000007
【図６】
2005298982.tif 000008
【図７】
2005298982.tif 000009
【図８】
2005298982.tif 000010
【図９】
2005298982.tif 000011
【図１０】
2005298982.tif 000012